(57)【要約】【課題】緊急情報の通報対象である全ての住民に対し、ファクシミリの所有の有無に関わらず、迅速かつ確実に緊急通報できる文字情報通報システム及び文字情報通報方法を提供する。【解決手段】編集された文字情報を音声信号に変換して拡声子局４−１〜４−ｎに送信して拡声子局４−１〜４−ｎから音声出力させ、また文字情報を文字表示端末５−１〜５−ｎに送信して視覚表示させ、さらに各住民宅のパソコン８−１〜８−ｎへ電子メールとして送信する。これにより、拡声子局４−１〜４−ｎの音声が届き難い地域の住民や難聴者に対して、緊急時でも迅速かつ確実に情報を提供することができる。【選択図】図１
2006080714.tif 000002
【特許請求の範囲】
【請求項１】
放送文の文字情報を音声信号に変換する音声変換手段と、
前記文字情報を送信用の文字データに変換する文字データ変換手段と、
前記文字情報をネットワークに接続されたメールサーバにメールクライアントとしてメール送信するメール送信手段と、
前記音声変換手段からの音声信号と前記文字データ変換手段からの文字データそれぞれを無線信号に変換して送信する送信手段と、
を備える文字情報通報装置。
【請求項２】
ネットワークを介して入力される文字情報や文字情報を送信するための操作信号を取得し、これらの情報を保存するデータ管理手段を備える請求項１に記載の文字情報通報装置。
【請求項３】
前記データ管理手段は、ネットワークに接続されたテレメータシステムや地震計を含む外部システムから外部情報を取得し、
前記音声変換手段は、前記データ管理手段で取得された外部情報のうち、文字情報を音声信号に変換し、
前記文字データ変換手段は、前記データ管理手段で取得された外部情報のうち、文字情報を送信用の文字データに変換し、
前記メール送信手段は、前記データ管理手段で取得された外部情報のうち、文字情報をネットワークに接続されたメールサーバにメールクライアントとしてメール送信する請求項２に記載の文字情報通報装置。
【請求項４】
編集された放送文を用いて通報を行う文字情報通報システムにおいて、
請求項１又は請求項３に記載の文字情報通報装置と、
前記文字情報通報装置より送信される無線信号から音声信号を復調し、復調した音声信号を増幅して音声出力する拡声子局と、
前記文字情報通報装置より送信される無線信号から文字データを復調し、復調した文字データを表示する文字表示端末と、
を備える文字情報通報システム。
【請求項５】
編集された放送文を用いて通報を行う文字情報通報システムにおいて、
請求項２又は請求項３に記載の文字情報通報装置と、
ネットワークを介して前記文字情報通報装置に文字情報の入力及び文字情報を送信するための操作を可能とする編集・操作クライアントと、
前記文字情報通報装置より送信される無線信号から音声信号を復調し、復調した音声信号を増幅して音声出力する拡声子局と、
前記文字情報通報装置より送信される無線信号から文字データを復調し、復調した文字データを表示する文字表示端末と、
を備える文字情報通報システム。
【請求項６】
編集された放送文を用いて通報を行う文字情報通報方法において、
編集された文字情報を音声信号に変換した後、無線信号に変換して拡声子局に向けて送信するとともに、文字表示端末に向けて送信し、さらに前記文字情報をネットワークに接続された電子機器へ電子メールとして送信する文字情報通報方法。
【請求項７】
編集された放送文を用いて通報を行う文字情報通報システムに設けられるプログラムにおいて、
放送文の文字情報を音声信号に変換する音声変換手順と、
前記文字情報を送信用の文字データに変換する文字データ変換手順と、
前記文字情報をネットワークに接続されたメールサーバにメールクライアントとしてメール送信するメール送信手順と、
前記音声変換手順で得られた音声信号と前記文字データ変換手順で得られた文字データそれぞれを無線信号に変換して送信する送信手順と、
を備え、コンピュータに前記各手順を実行させるプログラム。
【発明の詳細な説明】
【技術分野】
【０００１】
本発明は、防災無線通報や消防無線通報など広域に通報を行う文字情報通報システム及び文字情報通報方法に関する。
【背景技術】
【０００２】
従来、指定した日時に自動的に放送を行い、放送する文の入力及び放送文の編集を可能とした自動放送装置が提案されている（例えば、特許文献１参照）。
【０００３】
図５は、この種の従来の自動放送装置の概略構成を示すブロック図である。この図に示す自動放送装置では、キーボード１００から放送するための放送文の入力と、放送日時の入力と、音声によるアナウンス又はファクシミリ通信によるメッセージ送信のいずれかの放送手段の選択とを行い、アナウンスが選択された場合には、キーボード１００より入力されて記憶装置１０２に記憶された放送文が音声合成装置１０３で音声合成処理されて音声信号に変換され、制御卓１０４を介して無線装置１０５から送信される。他方、メッセージ送信が選択された場合には、無線ファクシミリ用の放送文データがモデム１０６に入力され、制御卓１０４を介して無線装置１０５から送信される。
【０００４】
なお、表示部１０７には、放送文や放送日時等が表示される。また、時計部１０８は放送日時の入力の基準となる時刻情報を出力する。制御装置１０１は装置各部を制御する。
【０００５】
【特許文献１】特開平９−９８１４０号公報
【発明の開示】
【発明が解決しようとする課題】
【０００６】
しかしながら、従来の自動放送装置においては、放送手段として、アナウンスとファクシミリ通信を備えているが、アナウンスの場合は、音声が到達し難い地域の住民や難聴者は災害発生等の緊急時に災害情報を得られない虞があり、ファクシミリ通信の場合は、ファクシミリを所持していなければ文字情報を入手することができないという問題がある。
【０００７】
本発明は、係る事情に鑑みてなされたものであり、緊急情報の通報対象である全ての住民に対し、ファクシミリの所有の有無に関わらず、迅速かつ確実に緊急通報できる文字情報通報システム及び文字情報通報方法を提供することを目的とする。
【課題を解決するための手段】
【０００８】
上記目的は下記構成又は方法により達成される。
（１）  放送文の文字情報を音声信号に変換する音声変換手段と、前記文字情報を送信用の文字データに変換する文字データ変換手段と、前記文字情報をネットワークに接続されたメールサーバにメールクライアントとしてメール送信するメール送信手段と、前記音声変換手段からの音声信号と前記文字データ変換手段からの文字データそれぞれを無線信号に変換して送信する送信手段と、を備える。
【０００９】
（２）  上記（１）に記載の文字情報通報装置において、ネットワークを介して入力される文字情報や文字情報を送信するための操作信号を取得し、これらの情報を保存するデータ管理手段を備える。
【００１０】
（３）  上記（２）に記載の文字情報通報装置において、前記データ管理手段は、ネットワークに接続されたテレメータシステムや地震計を含む外部システムから外部情報を取得し、前記音声変換手段は、前記データ管理手段で取得された外部情報のうち、文字情報を音声信号に変換し、前記文字データ変換手段は、前記データ管理手段で取得された外部情報のうち、文字情報を送信用の文字データに変換し、前記メール送信手段は、前記データ管理手段で取得された外部情報のうち、文字情報をネットワークに接続されたメールサーバにメールクライアントとしてメール送信する。
【００１１】
（４）  編集された放送文を用いて通報を行う文字情報通報システムにおいて、上記（１）又は（３）に記載の文字情報通報装置と、前記文字情報通報装置より送信される無線信号から音声信号を復調し、復調した音声信号を増幅して音声出力する拡声子局と、前記文字情報通報装置より送信される無線信号から文字データを復調し、復調した文字データを表示する文字表示端末と、を備える。
【００１２】
（５）  編集された放送文を用いて通報を行う文字情報通報システムにおいて、上記（２）又は（３）に記載の文字情報通報装置と、ネットワークを介して前記文字情報通報装置に文字情報の入力及び文字情報を送信するための操作を可能とする編集・操作クライアントと、前記文字情報通報装置より送信される無線信号から音声信号を復調し、復調した音声信号を増幅して音声出力する拡声子局と、前記文字情報通報装置より送信される無線信号から文字データを復調し、復調した文字データを表示する文字表示端末と、を備える。
【００１３】
（６）  編集された放送文を用いて通報を行う文字情報通報方法において、編集された文字情報を音声信号に変換した後、無線信号に変換して拡声子局に向けて送信するとともに、文字表示端末に向けて送信し、さらに前記文字情報をネットワークに接続された電子機器へ電子メールとして送信する。
【００１４】
（７）  編集された放送文を用いて通報を行う文字情報通報システムに設けられるプログラムにおいて、放送文の文字情報を音声信号に変換する音声変換手順と、前記文字情報を送信用の文字データに変換する文字データ変換手順と、前記文字情報をネットワークに接続されたメールサーバにメールクライアントとしてメール送信するメール送信手順と、前記音声変換手順で得られた音声信号と前記文字データ変換手順で得られた文字データそれぞれを無線信号に変換して送信する送信手順と、を備え、コンピュータに前記各手順を実行させる。
【発明の効果】
【００１５】
上記（１）に記載の文字情報通報装置では、編集された文字情報を音声情報に変換して拡声子局へ送る一方、文字情報を文字表示端末に入力するとともに、電子メールとしてネットワークに接続された電子機器へ送信するので、拡声子局からの音声が到達し難い地域の住民や難聴者は、入力された文字情報を音声以外に、文字表示端末と電子メールにて視覚的に認識することができる。
【００１６】
したがって、緊急情報の通報対象である全ての住民に対し、ファクシミリの所有の有無に関わらず、迅速かつ確実に緊急通報することができる。特に、近年の携帯電話の著しい普及によって、ファクシミリを持っていなくても携帯電話を持っている割合が多く、かつ携帯電話を身に付けている場合が多いので、緊急情報を迅速かつ確実に通報することが可能となる。
【００１７】
上記（２）に記載の文字情報通報装置では、ネットワークを介して文字情報や文字情報を送信するための操作信号を取得するので、本装置と文字情報の編集や操作信号を出力する操作手段とが地理的に離れていても、文字情報を取得することができる。
【００１８】
上記（３）に記載の文字情報通報装置では、ネットワークに接続されたテレメータシステムや地震計を含む外部システムから外部情報を取得し、外部情報のうち文字情報を音声情報に変換して拡声子局へ送る一方、文字情報を文字表示端末に入力するとともに、電子メールとしてネットワークに接続された電子機器へ送信するので、拡声子局からの音声が到達し難い地域の住民や難聴者は、入力された文字情報を音声以外に、文字表示端末と電子メールにて視覚的に認識することができる。
【００１９】
上記（４）に記載の文字情報通報システムでは、文字情報通報装置より送信される無線信号から音声信号を復調し、復調した音声信号を増幅して音声出力する拡声子局と、文字情報通報装置より送信される無線信号から文字データを復調し、復調した文字データを表示する文字表示端末とを備えるので、緊急情報の通報対象である全ての住民に対し、ファクシミリの所有の有無に関わらず、迅速かつ確実に緊急通報することができる。特に、近年の携帯電話の著しい普及によって、ファクシミリを持っていなくても携帯電話を持っている割合が多く、かつ携帯電話を身に付けている場合が多いので、この携帯電話を文字情報端末として用いることで、拡声子局からの音声出力が聞こえ難い地域の住民も緊急情報を迅速かつ確実に知ることができる。
【００２０】
上記（５）に記載の文字情報通報システムでは、編集・操作クライアントと文字情報通報装置とがネットワーク上で双方の接続を行うサーバ・クライアント・システム型の構成を採ることができ、さらに拡声子局、文字情報端末又はメールを受信するネットワークに接続された電子機器のいずれかに障害が発生しても、正常動作するものの運用により情報を確実に提供することができる。
【００２１】
また、サーバ・クライアント・システム型の構成を採ることから、１台の編集・操作クライアントに障害が発生した場合でも、別の編集・操作クライアントから文字情報を入力し、情報の提供を行うことができる。
【００２２】
上記（６）に記載の文字情報通報方法では、上記（１）に記載の文字情報通報装置と同様の効果が得られる。
【００２３】
上記（７）に記載のプログラムでは、上記（１）に記載の文字情報通報装置と同様の効果が得られる。
【発明を実施するための最良の形態】
【００２４】
以下、本発明を実施するための好適な実施の形態について、図面を参照して詳細に説明する。
【００２５】
（実施の形態１）
図１は、本発明の実施の形態１に係る文字情報通報システムの構成を示すブロック図である。この図において、本実施の形態に係る文字情報通報システム１は、サーバ装置２と、無線装置３と、拡声子局４−１〜４−ｎと、文字表示端末５−１〜５−ｎと、編集・操作クライアント端末６とを備えている。
【００２６】
サーバ装置２と編集・操作クライアント６とがインターネット１０上で双方の接続を行うサーバ・クライアント・システム型の構成を採り、編集・操作クライアント６で編集された文字情報（放送文）やその文字情報の送信を指令する指令信号等のサーバ装置２への送信が可能となっている。
【００２７】
また、インターネット１０上にはメールシステムが構築されており、サーバ装置２から放送対象地域内でパソコン８−１〜８−ｎを所持しているユーザに対して文字情報が電子メールとして送信される。この場合、実際には、文字情報はメールサーバ７に送られる。  各パソコン８−１〜８−ｎはメールサーバ７にアクセスしてメールサーバ７に保存されている文字情報等を取得する。
【００２８】
文字情報は、電子メールとしてパソコン８−１〜８−ｎに配信される以外に、音声変換された後に無線信号として拡声子局４−１〜４−ｎに向けて送信されるとともに、送信用のデータとして変換された後に無線信号として文字表示端末５−１〜５−ｎに向けて送信される。また、電子メールとしての送信、音声を無線信号に変換しての送信、文字を無線信号に変換しての送信は同時に全て行われることも可能であるが、少なくとも１つのみ行われる。その指定は編集・操作クライアント６にて行うことができる。
【００２９】
サーバ装置２は、制御部２１と、データ管理部２２と、音声合成部２３と、文字データ送信部２４と、メール送信部２５とを備えて構成される。制御部２１は装置各部を制御するものであり、データ管理部２２から文字情報とそれを送信する指令信号が入力されると、入力された文字情報を音声合成部２３、文字データ送信部２４及びメール送信部２５の全て又は少なくとも１つに入力する。
【００３０】
データ管理部２２は、インターネット１０を介して編集・操作クライアント６から入力される文字情報やその文字情報を送信するための操作信号等を取得し、保存する。音声合成部２３は、制御部２１から入力される文字情報を音声合成して音声信号に変換し、無線装置３に入力する。文字データ送信部２４は、制御部２１から入力される文字情報を無線送信するための文字データに変換し、無線装置３に入力する。メール送信部２５は、制御部２１から入力される文字情報をメールサーバ７にメールクライアントとしてメール送信する。
【００３１】
無線装置３は、サーバ装置２から入力される音声信号と文字データそれぞれを無線信号に変換して送信する。無線装置３から送信された音声信号の無線信号は、放送対象地域内の拡声子局４−１〜４−ｎそれぞれにて受信される。また、送信装置３から送信された文字情報の無線信号は、放送対象地域内の文字表示端末５−１〜５−ｎそれぞれにて受信される。
【００３２】
拡声子局４−１〜４−ｎは例えば防災無線受信装置や防災無線受信機能付きのラジオであり、これらを所有している家庭では無線装置３から送信された文字情報例えば緊急通報を聞くことができる。一方、文字表示端末５−１〜５−ｎは例えば携帯電話、ポケットベル、ＰＤＡ（Personal Digital Assistant）等の携帯端末であり、これらを所有している人は無線装置３から送信された文字情報例えば緊急通報を見ることができる。
【００３３】
なお、上記音声合成部２３は音声変換手段に対応し、文字データ送信部２４は文字データ変換手段に対応する。また、メール送信部２５はメール送信手段に対応する。また、無線装置３は送信手段に対応する。また、データ管理部２２はデータ管理手段に対応する。
【００３４】
次に、図２を参照して上記構成の文字情報通報システム１の動作を説明する。まず、編集・操作クライアント６にて通報対象となる文字情報の入力と、文字情報を最終的に拡声子局４−１〜４−ｎ、文字表示端末５−１〜５−ｎ、住民宅のパソコン８−１〜８−ｎのどれに向けて送信するかを選択する。この選択は択一的ではなく、任意の組み合わせが可能であり、全て選択することも可能である。
【００３５】
文字情報入力と最終的な送信先の選択を行った後に、編集・操作クライアント６から本システム１を起動すると、文字情報はインターネット１０を介してサーバ装置２に送信される（シーケンスＳ０１）。サーバ装置２は文字情報を受信すると、文字情報を最初に受信するデータ管理部２２が宛先と内容を解析し、その結果を制御部２１に渡す。
【００３６】
制御部２１は、データ管理部２２の解析結果に基づき、拡声子局４−１〜４−ｎ向けであれば音声合成部２３に文字情報を入力し、文字表示端末５−１〜５−ｎ向けであれば、文字データ送信部２４に文字情報を入力し、また各住民宅パソコン８−１〜８−ｎ向けであればメール送信部２５に文字情報を入力する。
【００３７】
文字情報が入力された音声合成部２３は、拡声子局４−１〜４−ｎの呼出制御を無線装置３に対して行う（シーケンスＳ１１）。無線装置３は呼出制御に基づき拡声子局４−１〜４−ｎに対して呼出制御を行う（シーケンスＳ２１）。そして、呼出制御を行った後、音声合成部２３は文字情報から音声信号への変換を実行し、音声出力（シーケンスＳ１２）を行う。
【００３８】
一方、文字情報が入力された文字データ送信部２４は、文字情報を無線装置３に対して制御情報とともに入力する（シーケンスＳ１３）。無線装置３は文字情報が入力されことで文字表示端末５−１〜５−ｎへ送信する（シーケンスＳ２２）。
【００３９】
また、文字情報が入力されたメール送信部２５は、インターネット１０を介して文字情報をメールとしてメールサーバ７に送信し（シーケンスＳ１４）、各住民宅パソコン８−１〜８−ｎのインターネット１０を介したメールサーバ７に対するメール要求（シーケンスＳ５１）とメール受信（シーケンスＳ５２）によりメールの配信を行う。
【００４０】
このようにシーケンスＳ０１〜Ｓ５２の処理により、文字情報による音声通報を実施すると共に、文字情報そのものを扱う文字表示端末５−１〜５−ｎやメール機能を持つパソコン８−１〜８−ｎに対しても通信を実施し、音声の到達の難しい地域の住民、もしくは音声が聞こえない難聴者に対しても、災害発生時などの緊急時に、迅速、確実に災害情報の提供を行うことができるようになる。
【００４１】
このように本実施の形態の文字情報通報システム１によれば、編集された文字情報を音声信号に変換して拡声子局４−１〜４−ｎに送信して拡声子局４−１〜４−ｎから音声出力させ、また文字情報を文字表示端末５−１〜５−ｎに送信して視覚表示させ、さらに各住民宅のパソコン８−１〜８−ｎへ電子メールとして送信するので、拡声子局４−１〜４−ｎの音声が届き難い地域の住民や難聴者に対して、緊急時でも迅速かつ確実に情報を提供することができる。
【００４２】
また、拡声子局４−１〜４−ｎ、文字表示端末５−１〜５−ｎ又は住民宅のパソコン８−１〜８−ｎのいずれかに障害が発生した場合でも残りの装置により、確実に情報を伝達することができる。
【００４３】
また、編集・操作クライアント６と、サーバ装置２とがそれぞれ離れた場所にあっても、専用のネットワークを構築する必要なく、地域住民への情報伝達の機能を動作させることができる。
【００４４】
また、編集・操作クライアント６を複数台接続することで、災害発生により、１台の編集・操作クライアント６が損壊に陥った場合でも別の編集・操作クライアントを用意することで地域住民への情報を伝達することができる。
【００４５】
（実施の形態２）
図３は、本発明の実施の形態２に係る文字情報通報システムの構成を示すブロック図である。なお、この図において前述した図１と共通する部分には同一の符号を付けてその説明を省略する。
【００４６】
図３に示すように、本実施の形態の文字情報通報システム１Ｂは、上述した実施の形態１の文字情報通報システム１に、インターネット１０に接続されたテレメータシステムや地震計などの外部システム１１を接続したものである。
【００４７】
図４を参照して上記構成の文字情報通報システム１Ｂの動作を説明する。テレメータや地震計等の外部システム１１から、河川水位の上昇や震度情報などに関する文字情報及び災害情報及びシステム１Ｂの起動信号がインターネット１０を経由してサーバ装置２に送信される（シーケンスＳ０１）と、サーバ装置２は自動的に情報を受信してシステム１Ｂが起動し、受信した災害情報に対し、上記実施の形態１と同様に音声変換して音声信号として拡声子局４−１〜４−ｎへ、文字情報として文字表示端末５−１〜５−ｎへ、電子メールとして地域住民宅のパソコン８−１〜８−ｎへ同時に送信する。
【００４８】
テレメータや地震計等の災害情報である文字情報を音声通報として実施するとともに、文字情報そのものを扱う文字表示端末５−１−〜５−ｎやメール機能を持つパソコン８−１〜８−ｎに対しての通信としても実施し、音声の到達の難しい地域住民、もしくは音声が聞こえない難聴者に対して、災害発生時などの緊急時に、迅速、確実に災害情報の提供を行うことができるようになる。
【００４９】
このように本実施の形態の文字情報通報システム１Ｂによれば、インターネット１０に接続された外部システム１１から送信された災害情報に基づいて本システム１Ｂが自動的に起動し、音声及び文字による災害情報を提供するため、拡声子局４−１〜４−ｎによる音声が届き難い地域の住民や難聴者も、災害情報を迅速かつ確実に受信することができる。
【００５０】
なお、上記各実施の形態では、電子メールをパソコン宛に送信するようにしたが、メール機能を備えた携帯端末宛に送信するようにしても良い。
【００５１】
また、上記各実施の形態では、電子メールの送信にインターネット１０を利用したが、専用のネットワークを構築して、それを利用するようにしても構わない。専用のネットワークを構築した場合は、インターネット１０を利用する場合よりもセキュリティの簡略化が図れる。
【産業上の利用可能性】
【００５２】
本発明は、緊急情報などの情報を迅速かつ確実に地域住民に提供できるという効果を有し、防災無線通報や消防無線通報など広域に通報を行う同報無線システムなどのへの適用が可能である。
【図面の簡単な説明】
【００５３】
【図１】本発明の実施の形態１に係る文字情報通報システムの構成を示すブロック図
【図２】本発明の実施の形態１に係る文字情報通報システムの動作を説明するためのシーケンス図
【図３】本発明の実施の形態２に係る文字情報通報システムの構成を示すブロック図
【図４】本発明の実施の形態２に係る文字情報通報システムの動作を説明するためのシーケンス図
【図５】従来の自動放送装置の構成を示すブロック図
【符号の説明】
【００５４】
１、１Ｂ  文字情報通報システム
２  サーバ装置
３  無線装置
４−１〜４−ｎ  拡声子局
５−１〜５−ｎ  文字表示端末
６  編集・操作クライアント
７  メールサーバ
８−１〜８−ｎ  パーソナルコンピュータ
１０  インターネット
１１  外部システム
２１  制御部
２２  データ管理部
２３  音声合成部
２４  文字データ送信部
２５  メール送信部
【図１】
2006080714.tif 000003
【図２】
2006080714.tif 000004
【図３】
2006080714.tif 000005
【図４】
2006080714.tif 000006
【図５】
2006080714.tif 000007